(57)【特許請求の範囲】
【請求項１】
被保護機器が配置される免震架台と、
前記免震架台に取り付けられる脚柱部と、
前記複数の脚柱部の先端にそれぞれ設けられる複数の支承部と、
前記複数の支承部が配置される凹部を有する受け部と、
前記受け部を箱内に有する箱状基板と、
前記免震架台と前記箱状基板とを連結しつつ水平方向に弾性力を付与する弾性部材と、
前記免震架台の孔部に挿通させた状態で前記箱状基板のねじ孔に螺挿されるねじ部材、および、このねじ部材に取り付けられた取手からなるロック部材と、
前記免震架台のねじ孔に螺挿されるねじ部材、および、このねじ部材の先端に取り付けられた摩擦部材からなる抗力付与部と、
前記箱状基板の側部に取り付けられてペダルの踏み込み動作により免震架台の制動を行う制動部と、
を備える免震装置であって、
前記ロック部材を締め付けて前記免震架台を上側から押圧し、前記受け部の凹部の最底に前記支承部を位置させた状態で前記免震架台を前記箱状基板に固定すると共に、
前記抗力付与部の弾性部材が前記受け部の凹部に当接するように配置し、前記抗力付与部の上下位置を変更することで免震架台に抵抗力を付与して水平方向の弾性力を調節し、
かつ、
前記制動部は前記免震装置の４方に配置されており、前記ペダルの踏み込み動作に応じて前記免震架台の固定と解放とを交互に行うことを特徴とする免震装置。
【発明の詳細な説明】
【０００１】
【発明の属する技術分野】
本発明は、建物の床から伝わる振動を減衰・吸収し、振動に弱い精密な被保護機器を保護する免震装置に関する。
【０００２】
【従来の技術】
近年の金融サービス環境の変化に伴い、コンビニエンスストアの店舗内に現金自動預け払い機（ＡＴＭ：Automatic Teller's Machine）や現金自動支払い機（ＣＤ：Cash Dispenser）が設置され、振り込み・引き出しのような各種の金融サービスが２４時間にわたり提供されている。これらＡＴＭ・ＣＤは精密機器であって、振動を受けることは好ましくない。
【０００３】
しかしコンビニエンスストアではＡＴＭ・ＣＤが常時振動を受けるような環境である。ここに振動とは、地震はいうまでもなく、地震以外にも常時発生する地面の揺れが考えられる。
この地面の揺れについて説明する。コンビニエンスストアの立地条件は、例えば、運転手を顧客対象とすれば主要幹線沿いであったり、電車の乗降客を対象とすれば駅構内であったりする。このような主要幹線ではトラック・バスなどの大型車が通過する際に振動が発生し、また、駅構内では特急・急行電車が通過する際に振動が発生したりする。
また、店舗が狭いため、店舗内の店員や客がＡＴＭ・ＣＤに接触して振動する場合や商品搬入作業で商品ケースに接触する場合など振動発生要因は無数に存在する。
【０００４】
既設のコンビニエンスストアでは、ＡＴＭ・ＣＤのような高価な精密機器を設置することを想定しておらず、当然このような振動の発生に関しては建物建設時に全く考慮されていない。以上の理由からも、新たにＡＴＭ・ＣＤを設置する場合には免震装置も併せて設置して、ＡＴＭ・ＣＤという高価な精密機器を振動から保護する必要がある。
【０００５】
【発明が解決しようとする課題】
コンビニエンスストア店舗内にＡＴＭ・ＣＤとともに免震装置を設置する場合は、迅速に設置できるほうが望ましい。
また、設置するコンビニエンスストアの立地条件によって振動の強弱があり、免震性能を変更できるようにする必要もある。
さらに、ＡＴＭ・ＣＤへの現金の搬入や故障の修理を行っている最中に免震動作によりＡＴＭ・ＣＤが揺れた場合に作業員の手などが内部精密機器に接触して故障の原因となる虞があり、免震装置による免震動作を簡単に一時固定できるようにして、サービスが提供できない事態を回避する必要もある。
しかしながら、従来これらのような工夫は検討されたことはなかった。
【０００６】
本発明は上記のような課題を解決するためになされたものであり、設置時・使用時に免震動作の制御を可能として使い勝手の良い免震装置を提供することを目的とする。
【０００７】
【課題を解決するための手段】
上記課題を解決するために、請求項１に記載した免震装置は、被保護機器が配置される免震架台と、前記免震架台に取り付けられる脚柱部と、前記複数の脚柱部の先端にそれぞれ設けられる複数の支承部と、前記複数の支承部が配置される凹部を有する受け部と、前記受け部を箱内に有する箱状基板と、前記免震架台と前記箱状基板とを連結しつつ水平方向に弾性力を付与する弾性部材と、前記免震架台の孔部に挿通させた状態で前記箱状基板のねじ孔に螺挿されるねじ部材、および、このねじ部材に取り付けられた取手からなるロック部材と、前記免震架台のねじ孔に螺挿されるねじ部材、および、このねじ部材の先端に取り付けられた摩擦部材からなる抗力付与部と、前記箱状基板の側部に取り付けられてペダルの踏み込み動作により免震架台の制動を行う制動部と、を備える免震装置であって、
前記ロック部材を締め付けて前記免震架台を上側から押圧し、前記受け部の凹部の最底に前記支承部を位置させた状態で前記免震架台を前記箱状基板に固定すると共に、前記抗力付与部の弾性部材が前記受け部の凹部に当接するように配置し、前記抗力付与部の上下位置を変更することで免震架台に抵抗力を付与して水平方向の弾性力を調節し、かつ、前記制動部は前記免震装置の４方に配置されており、前記ペダルの踏み込み動作に応じて前記免震架台の固定と解放とを交互に行うことを特徴とする。
【０００９】
【発明の実施の形態】
本発明の免震装置の実施形態について説明する。図１は本実施形態の内部構造を示すＡ−Ａ線断面図、図２は同じく平面図、図３は同じく免震架台のみの平面図、図４は同じく箱状基板のみの平面図、図５は同じくロック部材の説明図、図６は同じく抗力付与部の説明図、図７は同じく制動部の説明図である。以下、請求項１、請求項２の発明について１の実施形態で一括して説明する。
【００１０】
本実施形態の免震装置は、図１，図２で示すように、免震架台１と、この免震架台１の下側に取り付けられる４本の脚柱部２と、これら脚柱部２の先端にそれぞれ設けられる４個の支承部３と、これら支承部３を受ける４個の受け部４と、これら受け部４が箱内に配置された箱状基板５と、免震架台１と箱状基板５とを連結して水平方向に弾性力を付与するための弾性部材６と、免震架台１のきり孔１ａ（図３，図６参照）に挿通された状態で箱状基板５に設けられたねじ孔５ａ（図４，図６参照）に螺挿されるロック部材７と、免震架台１の取付部材１ｃ（図３参照）に設けられたねじ孔１ｂ（図５，図６参照）に螺挿される抗力付与部８と、箱状基板５の側部に取り付けられて免震架台１を制動する制動部９とを少なくとも備えている。
【００１１】
免震架台１は、アングル部材を組み合わせたものであり、図３で示すように構成されている。この免震架台１には十字状に渡される補強部材と井桁状に渡される補強部材を組み合わせて堅牢な構造体としている。これら補強部材に直角三角形状の取付部材１ｃが取付られている。さらに、図５，図６で示すように取付部材１ｃの下側にはねじ孔１ｂが設けられている。
【００１２】
この免震架台１上には、図１で示すように、被保護機器１０が載置される。被保護機器１０は、具体的には、先に説明したようにＡＴＭ・ＣＤのような精密機器が対象となる。被保護機器１０は、免震架台１に設けられた図示しない固定金具により免震架台１上で配置・固定される。
【００１３】
免震架台１の下側には、脚柱部２が取り付けられている。この脚柱部２は、断面が図１で示すような円柱状の脚柱であり、図２，図３で示すように４本設けられる。脚柱部２の先端にはそれぞれ支承部３が設けられている。本実施形態の支承部３は滑らかな表面を有する球とし、脚柱部２の先端にはこの球面に当接して球が回動自在となるような軸受けが設けられている。
【００１４】
４個の支承部３は、受け部４の略球冠状にへこんでいる凹部４ａの中にそれぞれ配置される。これら受け部４は箱状基板５の中に配置・固定されている。
このように４個の支承部３は、受け部４の凹部４ａと接触して免震架台１を支承するとともに免震架台１の水平方向の移動を容易にしている。
【００１５】
このような構成にすることにより、免震架台１が水平方向に移動自在となる。しかし、支承部３が凹部４ａの最底である中央から離れようとしても凹部４ａの傾斜により支承部３には凹部４ａの最底まで戻るような力が働く。最終的に凹部４ａの最底である中央に支承部３が位置するときに免震架台１が安定する。
なお、免震架台１に対して想定を上回る振動が加えられたとしても箱状基板５の側壁に支承部３が衝突して免震架台１の移動が確実に防止され、免震架台１が箱状基板５から離脱するような事態は発生しない。
【００１６】
箱状基板５は、図４で示すように、補強板５ｂが十字状に貼り付けられて箱状基板５を補強している。この補強板５ｂの中央には角柱５ｃが立設されている。この角柱５ｃにはアイリングが４個取り付けられている。これらアイリングは、免震架台１の４個の取付部材１ｃにも取り付けられている。これらアイリングに弾性部材６が掛け渡され、箱状基板５の角柱５ｃと免震架台１の取付部材１ｃとは弾性部材６により連結されて免震架台１に水平方向の弾性力が付与される。
なお、本実施形態では弾性部材６としてばねを用いているが、弾性力を付与する部材ならば本発明の実施は可能である。
【００１７】
ロック部材７は、図１，図２で示すように免震装置の四隅に取り付けられる。このロック部材７は、箱状基板５に免震架台１を固定するために用いられるが、免震装置を一旦設置した後は後述するねじ部材７ａを取り去ってロックを解除するものである。
抗力付与部８は、図１，図２で示すように免震架台１の取付部材１ｃに設けられたねじ孔１ｂに螺挿され、免震架台１が水平方向へ移動する際にその逆方向へ摩擦抵抗力を付与する。
制動部９は、免震装置の側部に取り付けられ、免震架台１の免震動作を一時的に停止させる。
免震装置はこのように構成されている。
【００１８】
続いて、ロック部材７、抗力付与部８、制動部９の構成・機能について図５，図６，図７を用いて詳しく説明する。
図５で示すように、ロック部材７は、ねじ部材７ａ、および、このねじ部材７ａの先端に形成された取手７ｂからなる。ロック部材７は、図６で示されるような免震架台１のきり孔１ａに挿通され、さらに図６で示す箱状基板５のねじ孔５ａに螺挿されて取り付けられる。
【００１９】
取手７ｂを掴んでロック部材７を締め付けると、免震架台１は図５の矢印Ａに示す方向へ力が加えられる。この場合、免震架台１が下方へ押圧されて、４個の脚柱部２の支承部３が、図５の矢印Ｂで示すように受け部４の凹部４ａの最底に位置して固定される。
【００２０】
固定後、免震架台１が上側方向に移動しようとしてもロック部材７により上側方向の移動は拘束され、また、水平方向へ移動しようとすると支承部３が凹部４ａに沿って移動しようとして、結局、免震架台１が上側方向に移動することとなり、この場合もロック部材７により拘束される。このようにロック部材７を締め付けることで免震架台１は箱状基板５に確実に固定され、例えば、搬入動作などを行う場合に免震架台が移動するような事態は回避される。
【００２１】
抗力付与部８は、免震架台１の取付部材１ｃに設けられたねじ孔１ｂに螺挿されるねじ部材８ａ、および、このねじ部材８ａに取り付けられた摩擦部材８ｂからなる。
図２でも示すようにねじ部材８ａはプラスのねじ頭が設けてあり、上側からプラスドライバーによりねじ部材８ａを回転させることで調節する。取付部材１ｂには目盛りが設けられており、調整の目安とすることができる。さらに、目盛りに加えて、摩擦抵抗力の強弱についての説明的な注意記載を加えても良い。
【００２２】
プラスドライバーによりねじ部材８ａを回転させて、ねじ部材８ａとともに摩擦部材８ｂは下降して免震架台１に摩擦抵抗力を付与することができ、さらに摩擦部材８ｂを微少距離上昇または下降させて免震架台１に付与される摩擦抵抗力を調節することもできる。付与される摩擦抵抗力は、例えば、図６に示す矢印Ｃの方向へ免震架台１が移動するならば、図６に示す矢印Ｄの方向へ摩擦抵抗力が付与される。
しかしながら、本実施形態の場合、摩擦抵抗力の強弱は方向により若干相違する。
【００２３】
例えば、免震架台１が図６で示す矢印Ｄの方向へ移動するなら、凹部４ａとねじ部材８ａの間隔は狭まるため、摩擦部材８ｂはより強い摩擦抵抗力を付与することとなる。
しかし、免震架台１が図６で示す矢印Ｃの方向へ移動するなら、凹部４ａの最底へ摩擦部材８ｂが近づいて凹部４ａとねじ部材８ａの間隔は広がるため、摩擦部材８ｂが付与する摩擦抵抗力は弱くなる。
【００２４】
このように抗力付与部８は、図６の矢印Ｄの方向（免震装置の中央方向）へ力が働く場合には抵抗力が増すが図６の矢印Ｃの方向（免震装置の外側方向）へ力が働く場合には抵抗力は減少する。
しかしながら、免震装置全体で考えれば、４つの抗力付与部８は、図２で示すように同じ矢印Ｅの方向へ抵抗力が付与される。他の３つの抗力付与部８の摩擦抵抗力は増大するように機能するため、方向によって摩擦抵抗力が大小する事態は装置全体として考えれば回避されている。
【００２５】
このように抗力付与部８が凹部４ａと接するため、振動が大きくなって支承部３が凹部４ａの最底から離れるにつれてそれに応じて大きな摩擦抵抗力を付与するようになる。この作用により免震性能を高めることができる。
さらに免震架台１は受け部４の凹部４ａの最底から離れるに従って、図６における矢印Ｆの方向へ上昇するが、被保護機器１０の重量により最底へ移動させる方向へ重力が加わって最終的に最底で安定するように作用するため、摩擦抵抗力がなくなる事態は発生しない。
【００２６】
制動部９は、図７（ａ）で示すようにペダル９ａと、このペダル９ａを図７（ａ）の矢印Ｇの方向に回動自在に軸支する回動軸９ｂと、このペダル９ａに対し図７（ａ）の矢印Ｈの方向への引っ張り荷重を付勢するばね９ｃと、図面の表裏方向に貫通するようにペダル９ａの側部に設けられた長孔９ｄと、図面の表裏方向に伸びるようなシャフト９ｅと、長孔９ｄに挿通された状態のシャフト９ｅを図面の左右方向へ付勢して長孔９ｄの中央位置に維持する２つのシャフト用ばね９ｆと、シャフト９ｅを誘導する誘導溝９ｇが設けられるとともに図７（ａ）の矢印Ｇの方向に回動自在に設けられた制動用回動部材９ｈが設けらている。
なお、図７（ａ），（ｂ），（ｃ）において、長孔９ｄとシャフト用ばね９ｆとは、制動用回動部材９ｈにより隠れるが、図面の明瞭化のため細線として図示している。
【００２７】
免震動作時における制動部９は、図７（ａ）で示すような状態が維持されている。この場合、シャフト用ばね９ｆにより図７（ａ）の矢印Ｈで示す方向にシャフト９ｅが付勢され、かつ、制動用回動部材９ｈも誘導溝９ｇを介して伝えられるシャフト用ばね９ｆによる矢印Ｉの方向への付勢力により押圧される。これによりペダル９ａと制動用回動部材９ｈは図７（ａ）で示すような状態で当接し、免震動作中は図７（ａ）の状態を維持している。
【００２８】
ＡＴＭ・ＣＤの現金の搬入や点検・修理等に際し、免震動作を一時停止させるためペダル９ａを踏み込んで図７（ａ）の矢印Ｊの方向へペダル９ａを回動させると、回動停止パッド９ｉに接触して図７（ｂ）のような状態で回動が中止する。このときシャフト９ｅは、シャフト用ばね９ｆの付勢力により矢印Ｋの方向へ移動する。
【００２９】
続いて、ペダル９ａの踏み込みを解除するとばね９ｃが図７（ｃ）で示す矢印Ｌの方向へペダル９ａを引っ張るため、ペダル９ａは図７（ｃ）で示す矢印Ｍの方向へ回動する。この際シャフト９ｅは、図７（ｃ）で示すように誘導溝９ｇに沿って移動する。このときシャフト用ばね９ｆの付勢力が反転し、図７（ｃ）の矢印Ｎの方向へ制動用回動部材９ｈを回動させる。
【００３０】
その結果、制動用回動部材９ｈと免震架台１に取り付けられた摩擦パッド１ｄとが当接し、免震動作が停止される。なお、もう一回ペダルを踏み込むと逆動作により図７（ａ）の状態に戻る。このように制動部９のペダル９ａの踏み込み動作を行うことで免震動作の固定と解放を交互に行うことが可能となる。
【００３１】
なお、本実施形態では弾性部材６のみを免震架台１の取付部材１ｂおよび箱状基板５の角柱５ｃとの間に渡すものとして説明した。
しかしながら、図示しないものの、弾性部材６と平行して図示しない４個のダンパーを連結し、弾性力と減衰力とを免震架台に付与する免震装置とすることも可能である。弾性力のみ付与する免震装置とするか、または、弾性力と減衰力とを付与する免震装置とするかは、諸条件を考慮して決定されるが、何れの形態としても本発明の効果を奏することができる。
【００３２】
以上、本発明の免震装置によれば、コンビニエンスストアのような店舗内にＡＴＭ・ＣＤ用の免震装置を設置する場合、運搬から載置まではロック部材により免震架台を確実強固に固定することから運搬性を高め、かつ、載置後にロック部材を取り外すだけで免震動作が開始するため迅速な設置を実現する。
また、設置するコンビニエンスストアの立地条件によって振動の強弱がある場合でも、抗力付与部を調節して付与する摩擦抵抗力の大小を変更するこで免震性能を変更でき、個別の諸条件に対応することができる。
さらに、制動部により免震動作を簡単に一時固定できる免震装置としたため、ＡＴＭ・ＣＤへの現金の搬入中、または、故障の修理中に免震動作によりＡＴＭ・ＣＤが揺れ、内部精密機器に作業員が接触して故障が発生するというような事態を回避し、サービスが提供できない事態が発生する虞を低減する。
【００３３】
【発明の効果】
本発明によれば、設置時・使用時に免震動作の制御を可能として使い勝手の良い免震装置を提供することができる。
【図面の簡単な説明】
【図１】本発明の免震装置の実施形態の内部構造を示すＡ−Ａ線断面図である。
【図２】本発明の免震装置の実施形態の平面図である。
【図３】本発明の実施形態の免震装置の免震架台の平面図である。
【図４】本発明の実施形態の免震装置の箱状基板の平面図である。
【図５】本発明の実施形態の免震装置のロック部材の説明図である。
【図６】本発明の実施形態の免震装置の抗力付与部の説明図である。
【図７】本発明の実施形態の免震装置の制動部の説明図である。
【符号の説明】
１                              免震架台
１ａ                          きり孔
１ｂ                          ねじ孔
１ｃ                          取付部材
１ｄ                          摩擦パッド
２                              脚柱部
３                              支承部
４                              受け部
４ａ                          凹部
５                              箱状基板
５ａ                          ねじ孔
５ｂ                          補強板
５ｃ                          角柱
６                              弾性部材
７                              ロック部材
７ａ                          ねじ部材
７ｂ                          取手
８                              抗力付与部
８ａ                        ねじ部材
８ｂ                        摩擦部材
９                              制動部
９ａ                          ペダル
９ｂ                          回動軸
９ｃ                          ばね
９ｄ                          長孔
９ｅ                          シャフト
９ｆ                          シャフト用ばね
９ｇ                          誘導溝
９ｈ                          制動用回動部材
９ｉ                          回動停止パッド
１０                            被保護機器
【図１】
0004305797.tif 000002
【図２】
0004305797.tif 000003
【図３】
0004305797.tif 000004
【図４】
0004305797.tif 000005
【図５】
0004305797.tif 000006
【図６】
0004305797.tif 000007
【図７】
0004305797.tif 000008